(57)【要約】【課題】スライム等が発生しても安全に停止しかつメンテナンスのしやすい空気調和機を提供すること。【解決手段】冷凍サイクル運転時に発生する凝縮水を貯留する水受け皿４と、凝縮水の水位を異なる検出水位で検出する複数の凝縮水位検出手段５、７と、凝縮水を機外に排出する排水機構１とを備え、凝縮水位検出手段のうち最下位水位検出手段５が水位を検出せず、それよりも上位の検出手段７が所定時間Ｔａ水位を検出した場合、凝縮水位検出手段が異常であることを表示することで。水漏れをおこすことなく安全に停止することはもとより、凝縮水位検出手段が異常であることが特定でき、更なるメンテナンス性の向上した空気調和機を提供することができる。【選択図】図１
2006300446.tif 000002
【特許請求の範囲】
【請求項１】
冷凍サイクル運転時に発生する凝縮水を水受け皿で受けて貯留し、前記水受け皿に貯留した前記凝縮水の水位を異なる検出水位で設定された複数の凝縮水位検出手段で検出し、凝縮水位検出手段で検出した水位に応じてまたは定期的にあるいは室内空調負荷に応じて前記凝縮水を機外に排出する排水機構を備える空気調和機であって、前記凝縮水位検出手段のうち最下位水位検出手段が水位を検出せず、それよりも上位の検出手段が所定時間Ｔａ水位を検出した場合、凝縮水位検出手段が異常であることを表示することを特徴とした空気調和機。
【請求項２】
最下位水位検出手段が水位を検出せず、それよりも上位の検出手段が所定時間Ｔｂ（Ｔａ＞Ｔｂ）水位を検出した場合、凝縮水位検出手段が異常であることを表示せず記憶するのみとすることを特徴とする請求項１に記載の空気調和機。
【請求項３】
最下位水位検出手段が水位を検出せず、それよりも上位の検出手段が所定時間Ｔｂ（Ｔａ＞Ｔｂ）水位を検出し、かつ所定期間Ｔ内に検出回数がＮ回に達した場合、凝縮水位検出手段が異常であることを表示することを特徴とする請求項１または２に記載の空気調和機。
【請求項４】
最下位水位検出手段が水位を検出した場合、凝縮水位検出手段異常記憶をクリアすることを特徴とする請求項１〜３のいずれか１項に記載の空気調和機。
【発明の詳細な説明】
【技術分野】
【０００１】
本発明は排水制御装置を有する空気調和機に関するものである。
【背景技術】
【０００２】
従来、この種の空気調和機は、冷凍サイクル運転時に熱交換器に発生する凝縮水を一旦水受け皿で受けて貯留し、機外に排水するが、水受け皿に貯留した凝縮水の水位が異常上昇した場合に、排水機であるドレンポンプの運転電流によって水位の異常上昇の原因を区別し、表示している（例えば、特許文献１参照）。また、安全のために、凝縮水の水位を検出するフロートスイッチを複数有しているものもある。
【０００３】
図７は、特許文献１に記載された従来の空気調和機の主要構成図を示すものである。図７に示すように、貯留凝縮水を排水するドレンポンプ１と、配水管２と、熱交換器３と、水受け皿４と、水受け皿の水位検出手段であるフロートスイッチ５と、これらの運転を制御するＣＰＵを搭載した制御装置６から構成されている。
【０００４】
この構成において、水受け皿４に貯留した凝縮水の水位が上昇し、フロートスイッチ５が動作すると空気調和機の運転を停止する。またドレンポンプ１の運転電流を監視しドレンポンプ１の異常なのか、排水系の異常なのかを認識し、異常内容を区別して表示することで異常原因の特定が容易になりメンテナンス性を向上させていた
【特許文献１】特開平５−１５７３２９号公報
【発明の開示】
【発明が解決しようとする課題】
【０００５】
しかしながら、前記従来の構成では、フロートスイッチも同時に異常状態となり、動作しなかった場合は、水位検出ができず、水漏れが起きる可能性があるという課題を有していた。またフロートスイッチの複数設置により水漏れを回避できたとしてもその要因を特定することができないという課題を有していた。
【０００６】
特に、水受け皿に貯留した凝縮水を長期間放置すると微生物が繁殖し、粘着性の物質（スライム）が発生することがある。凝縮水に発生したスライムは、ドレンポンプや配水管を閉塞し、更にフロートスイッチを固着させて、水位検出ができずやがて凝縮水が水漏れするといった空気調和機の故障の原因となる。
【０００７】
本発明は、前記従来の課題を解決するもので、水受け皿の水位を、異なる検出水位で設定された複数の凝縮水位検出手段で検出し、例え最下位水位検出手段が水位を検出できなくても、それよりも上位の検出手段が水位を検出することにより、水漏れをおこすことなく安全に停止することはもとより、異常の内容を水位異常だけではなく凝縮水位検出手段即ちフロートスイッチの異常であることを表示することで、スライムが原因である可能性も予測でき、更なるメンテナンス性の向上した空気調和機を提供することを目的とする。
【課題を解決するための手段】
【０００８】
前記従来の課題を解決するために、本発明の空気調和機は、水受け皿に貯留した凝縮水の水位を異なる検出水位で設定された複数の凝縮水位検出手段で検出し、最下位水位検出手段が水位を検出せず、それよりも上位の検出手段が所定時間Ｔａ間水位を検出した場合、凝縮水位検出手段が異常であることを表示するとしたものである。
【０００９】
これによって、水位検出手段の動作不良が発生しても、水漏れをおこすことなく安全に
停止することはもとより、凝縮水位検出手段が異常であることが特定でき、更なるメンテナンス性の向上した空気調和機を提供することができる。
【発明の効果】
【００１０】
本発明の空気調和機は、スライム等微生物による水位検出手段の動作不良が発生しても、水漏れをおこすことなく安全に停止することはもとより、故障部品の特定及び不具合発生の原因の特定が容易になり、更なるメンテナンス性の向上した空気調和機を提供することができる。
【発明を実施するための最良の形態】
【００１１】
第１の発明は、水受け皿に貯留した凝縮水の水位を異なる検出水位で設定された複数の凝縮水位検出手段で検出し、そのうちの最下位水位検出手段が水位を検出せず、それよりも上位の検出手段が水位を検出した場合、凝縮水位検出手段が異常であることを表示することにより、水漏れをおこすことなく安全に停止することはもとより、異常の内容を凝縮水位検出手段異常であることを表示することで更なるメンテナンス性の向上を図ることができる。
【００１２】
第２の発明は、特に、第１の発明の上位の検出手段が所定時間Ｔｂ（Ｔａ＞Ｔｂ）水位を検出しＴａ到達前に水位検出が解除された場合、凝縮水位検出手段が異常であることを表示せず記憶するのみとすることにより、凝縮水位検出手段の異常はあるが排水機能は正常であるためシステムとして停止する必要もなく継続運転可能とすることができる。また異常記憶を表示する操作を行うことでメンテナンス性の向上も同様に図ることができる。
【００１３】
第３の発明は、特に、第１または第２の発明の上位の検出手段が所定時間Ｔｂ（Ｔａ＞Ｔｂ）水位を検出しＴａ到達前に水位検出が解除されることが所定期間Ｔ内にＮ回検出された場合、凝縮水位検出手段が異常であることを表示することにより、凝縮水位検出手段の異常はありかつ排水機能は正常に動作しているもののスライム等の微生物付着によりその排水能力に著しい低下がみられると判断できるため、異常表示をすることでより安全性も向上するとともにメンテナンス性の向上を図ることができる。
【００１４】
第４の発明は、特に、第１〜３のいずれか１つの発明の最下位水位検出手段が水位を検出した場合、凝縮水位検出手段異常記憶をクリアすることで誤動作を防止することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の主要構成図を示すものである。
【００１７】
図１において、水受け皿４に貯留した凝縮水の水位が上昇すると、水受け皿の水位を監視する最下位水位検出手段である第１のフロートスイッチ５がＯＮし、ドレン水を排水するドレンポンプ１が動作して、凝縮水は配水管２を通じて機外へ排出される。また、第２のフロートスイッチ７は、第１のフロートスイッチ５よりも上位に設置されており、第１のフロートスイッチ５に異常があった際には、ドレンポンプ１が動作せず、水受け皿４に貯留した凝縮水の水位が更に上昇するので、第２のフロートスイッチ７がＯＮし、ドレンポンプ１が動作して、凝縮水は配水管２を通じて機外へ排出されるようになっている。
【００１８】
以上のように構成された空気調和機について、以下その動作、作用を説明する。
【００１９】
図２、図３、図４、図５は、それぞれ本発明の第１の実施の形態の空気調和機の特定条件におけるタイムチャートである。各タイムチャートは横軸に時間をとり、縦軸にドレンポンプ、第１及び第２のフロートスイッチのＯＮ／ＯＦＦ状態を示したものである。
【００２０】
図２は、最下位に設置された第１のフロートスイッチ５がスライム等により固着し水位検出できなかった場合でかつ排水機能もそれにより動作しなかったような異常な状態のタイムチャートを表したものである。第１のフロートスイッチ５が水受け皿４に貯留した凝縮水の水位の位置検出できずにＯＦＦのままで、それより上位に設置された第２のフロートスイッチ７が凝縮水の水位を検知してＯＮとなり、Ｔｂ間動作したことで水位異常と判断しドレンポンプ１を強制的に動作させ排水処理を行う。
【００２１】
第１のフロートスイッチ５がスライム等により固着したような場合、ドレンポンプ１の吸い込み口もスライム等により閉塞されている可能性がある。その場合、ドレンポンプ１がＯＮして動作し、排水処理を行おうとしても排水できず、第２のフロートスイッチ７はＯＮしたままで動作解除することはない。このままでは、水受け皿４から凝縮水が溢れて空気調和機から水漏れが起こってしまうので、第２のフロートスイッチ７が所定期間Ｔａ動作しつづけた場合は空気調和機を本体停止し水位検出手段異常表示を行い、スライム等に対応するメンテナンス処理を行うよう促す。これにより、水漏れを起こすことなく、迅速に対処すべき箇所及び方法が分かるため、サービス性が向上する。またスライム等はその環境が変わらない限り発生しなくなるものではないため、定期的にメンテナンスするようリストアップすることが可能であり、市場での迅速な対応が可能となる。
【００２２】
図３は、最下位に設置された第１のフロートスイッチ５がスライム等により固着し水位検出できなかった場合でかつ排水機能が正常な場合のタイムチャートを表したものである。第１のフロートスイッチ５が水受け皿４に貯留した凝縮水の水位の位置検出できずにＯＦＦのままで、それより上位に設置された第２のフロートスイッチ７が凝縮水の水位を検知してＯＮとなり、Ｔｂ間動作したことで水位異常と判断しドレンポンプ１を強制的に動作させ排水処理を行う。その際、水位検出手段異常を記憶装置に記憶させておく。
【００２３】
第１のフロートスイッチ５がスライム等により固着しているが、ドレンポンプ１の吸い込み口はスライム等により閉塞されていない場合、ドレンポンプ１がＯＮして動作し、排水処理を行うことによって、水受け皿４に貯留した凝縮水は配水管２を通じて機外へ排出されるので、凝縮水の水位が下がり、第２のフロートスイッチ７は所定期間内で解除され、ＯＦＦとなる。この場合、空気調和機としての機能は満足されており、水漏れの心配もないので本体停止する必要はなく、また水位検出手段異常表示をする必要もない。ただし定期検査時、記憶装置に記憶された水位検出手段異常を表示させることで第１のフロートスイッチ５がスライム等の要因で異常を来たしていることが判り、またこのまま放置しているとドレンポンプ１の吸い込み口や第２のフロートスイッチ７もスライム等により固着して異常となる可能性が高いので、スライム等に対応するメンテナンス処理を行い、スライム発生に対する不具合を未然に防ぎ、かつ発生を抑えるような対応を行うことが可能になる。このようにすることで使用者に迷惑をかけることなく市場での迅速な対応が可能となる。
【００２４】
図４は、最下位に設置された第１のフロートスイッチ５がスライム等により固着し水位検出できなかった場合でかつ排水機能が正常に動作しているが排水能力がスライム等により著しく低下している場合のタイムチャートを表したものである。第１のフロートスイッチ５が水受け皿４に貯留した凝縮水の水位の位置検出できずにＯＦＦのままで、それより上位に設置された第２のフロートスイッチ７が凝縮水の水位を検知してＯＮとなり、Ｔｂ間動作したことで水位異常と判断しドレンポンプ１を強制的に動作させ排水処理を行う。
【００２５】
ドレンポンプ１の吸い込み口はスライム等により閉塞されていない場合、ドレンポンプ１がＯＮして動作し、排水処理を行うことによって、水受け皿４に貯留した凝縮水は配水管２を通じて機外へ排出されるので、凝縮水の水位が下がり、第２のフロートスイッチ７は所定期間内で解除され、ＯＦＦとなる。しかしスライム等によりドレンポンプ１の吸込み口や排水管路内が詰まりかけている場合、排水機能は著しく低下しているため、仮に第２のフロートスイッチ７が解除できる分だけ排水できたとしてもドレンポンプ１停止後の戻り水により再度第２のフロートスイッチ７が動作する場合がある。
【００２６】
このように短期間に何度も第２のフロートスイッチ７がＯＮする場合には排水機能が著しく低下している可能性があるので、所定期間Ｔ内に第２のフロートスイッチ７がＮ回ＯＮする場合には、水漏れを防ぐため、本体停止し水位検出手段異常表示を行い、スライム等に対応するメンテナンス処理を行うよう促す。これにより、水漏れを起こすことなく、迅速に対処すべき箇所及び方法が分かるため、サービス性が向上する。またスライム等はその環境が変わらない限り発生しなくなるものではないため、定期的にメンテナンスするようリストアップすることが可能であり、市場での迅速な対応が可能となる。
【００２７】
またスライムはその生長過程において排水機能に大きな影響を及ぼし、それに対する空気調和機の動作は複雑に変化してしまう。このような場合においても、定期的にメンテナンスするようリストアップすることが可能であり、市場での迅速な対応も可能となる。
【００２８】
図５は、最下位に設置された第１のフロートスイッチ５がスライム等により固着し水位検出できなかった場合でかつ途中で固着が解除した場合のタイムチャートを表したものである。第１のフロートスイッチ５が水受け皿４に貯留した凝縮水の水位の位置検出できずにＯＦＦのままで、それより上位に設置された第２のフロートスイッチ７が凝縮水の水位を検知してＯＮとなった場合、水位検出手段異常を記憶装置に記憶させておくが、ドレンポンプ１による排水時の水流等により、第１のフロートスイッチ５に付着したスライム等が除去され、正常に動作するようになる場合がある。一旦、第１のフロートスイッチ５が水位検出できずに水位検出手段異常を記憶装置に記憶した場合であっても、第１のフロートスイッチ５が復旧して正常に動作している場合は、通常どおり第１のフロートスイッチ５の動作を優先させ、また一旦記憶された水位検出手段異常記憶をクリアすることで、市場での誤解を防止させることが可能となる。
【００２９】
図６は、本発明の第１の実施の形態の空気調和機のフローチャートである。
【００３０】
図６において、ドレンポンプ１、第１のフロートスイッチ５、それより上位に設置された第２のフロートスイッチ７のフローについてステップに従って示す。以降、第１のフロートスイッチをフロートスイッチＩ、第２のフロートスイッチをフロートスイッチIIと記載する。
【００３１】
まず、ＳＴ１０１で初期値として、ドレンポンプをＯＦＦ、フロートスイッチIIのカウンターの回数Ｎを０とする。
【００３２】
次にＳＴ１０２から始まりＳＴ１０４で終わるループ処理ＦＳＷ１の処理に移る。ループ処理ＦＳＷ１はフロートスイッチＩがＯＦＦとなるまで繰り返し処理を行うループ処理である。フロートスイッチＩがＯＮ、即ち正常動作している場合はドレンポンプをＯＮし、排水処理を行うことによって、水受け皿に貯留した凝縮水が配水管を通じて機外へ排出される。これによって、水位が下がるとフロートスイッチＩがＯＦＦとなり、ループ処理ＦＳＷ１から抜けて次のステップＳＴ１０５へ移る。
【００３３】
また、フロートスイッチＩがスライム等により固着し水位検出できなかった場合、ＯＦＦのままなので、ループ処理ＦＳＷ１をスルーして次のステップＳＴ１０５へ移る。
【００３４】
ＳＴ１０５では、フロートスイッチＩがＯＦＦとなっているので、ドレンポンプをＯＦＦとし、次のステップＳＴ１０６へ移る。
【００３５】
ＳＴ１０６は、サブルーチンで、図６の右列に表されているＳＴ２０１から始まりＳＴ２１５で終わるループ処理ＦＳＷ２である。このループ処理を抜けるとＳＴ１０７へ移り、ドレンポンプをＯＦＦして一連の処理が終了する。空気調和機の動作状態によって、このフローは再びＳＴ１０２から開始するよう制御される。
【００３６】
ＳＴ１０８では、ドレンポンプをＯＦＦし、空気調和機の運転停止を行い、終了する。
【００３７】
次に、サブルーチンであるループ処理ＦＳＷ２について説明する。
【００３８】
ループ処理ＦＳＷ２はフロートスイッチIIがＯＦＦとなるまで繰り返し処理を行うループである。フロートスイッチＩが正常動作している場合はドレンポンプをＯＮし、排水処理を行うことによって、水受け皿に貯留した凝縮水が配水管を通じて機外へ排出され水位が下がるので、それより上位に設置されたフロートスイッチIIがＯＮとなることはない。従って、このループ処理ＦＳＷ２はスルーされてメインルーチンのステップＳＴ１０５へ戻るはずである。
【００３９】
しかし、フロートスイッチＩがスライム等により固着し水位検出できなかった場合、ＯＦＦのままなので、ドレンポンプもＯＦＦのままで排水処理を行わず、水受け皿に貯留した凝縮水の水位が上昇し、フロートスイッチIIがＯＮとなり、ループ処理ＦＳＷ２はフロートスイッチIIがＯＦＦとなるまで繰り返し処理を行う。
【００４０】
ＳＴ２０２では、フロートスイッチIIがＯＮになってからの時間ｔが所定値Ｔｂであるか判定し、そうであればＳＴ２０３へ進み、フロートスイッチ異常データを記憶する。続いてＳＴ２０４へ進み、ドレンポンプをＯＮし、排水処理が行われ、ＳＴ２０５でフロートスイッチIIのカウンターの回数Ｎの値を１増加させる。
【００４１】
ＳＴ２０６ではフロートスイッチＩの状態を確認する。上述したように、このループ処理ＦＳＷ２はフロートスイッチＩが水位検出できずにＯＦＦのままで、フロートスイッチIIがＯＮとなった場合にループ処理が進むのであるが、ドレンポンプによる排水時の水流等により、フロートスイッチＩに付着したスライム等が除去され、正常に動作するようになる場合がある。その場合、フロートスイッチＩより上位に設置されたフロートスイッチIIがＯＮとなる程、水位が上昇しているのであるから、フロートスイッチＩも直ちにＯＮになるはずである。従って、フロートスイッチＩがＯＮであるならばフロートスイッチＩは正常な状態に戻っていると判断でき、ＳＴ２０７でドレンポンプをＯＮし、ＳＴ２０８で記憶されているフロートスイッチ異常データの記憶をクリアし、ＳＴ２０９へ進む。ＳＴ２０６でフロートスイッチＩが相変わらず異常であればＯＦＦのままなので、ＳＴ２０９へ進む。
【００４２】
ＳＴ２０９で、フロートスイッチIIのカウンターの回数Ｎの値がカウントされ始めてからの時間ｔＮが所定時間Ｔ以下の間に、Ｎの値がＮｍａｘになった時、ＳＴ２１０へ進み、フロートスイッチ異常を表示する。
【００４３】
上述したＳＴ２０２からＳＴ２０５のフローで示したように、フロートスイッチＩがＯＦＦでフロートスイッチIIがＯＮとなった時に、ドレンポンプがＯＮして排水処理を行い
、フロートスイッチIIのカウンターの回数Ｎの値を１増加させる。
【００４４】
ドレンポンプがＯＮして動作し、排水処理を行うことによって、凝縮水の水位が下がり、フロートスイッチIIはＯＦＦとなり、ループ処理ＦＳＷ２を終了してメインルーチンのステップＳＴ１０７へ戻り、空気調和機の動作状態によって、このフローは再びＳＴ１０２から開始する。
【００４５】
しかしスライム等によりドレンポンプの吸込み口や排水管路内が詰まりかけている場合、排水機能は著しく低下しているため、仮にフロートスイッチIIが解除できる分だけ排水できたとしてもドレンポンプ停止後の戻り水により再度フロートスイッチIIが動作する場合がある。すると、再び、ループ処理ＦＳＷ２の処理ループに入り、フロートスイッチIIのカウンターの回数Ｎの値が１増加する処理が短期間の内に繰り返されることになる。
【００４６】
このように短期間に何度もフロートスイッチIIがＯＮする場合には排水機能が著しく低下している可能性があるので、フロートスイッチIIのカウンターの回数Ｎの値がカウントされ始めてからの時間ｔＮが所定時間Ｔ以下の間にＮの値がＮｍａｘになった時にはＳＴ２１０へ進み、フロートスイッチ異常を表示し、ＳＴ２１１でループ処理ＦＳＷ２から抜けてＳＴ１０８へ進み、ドレンポンプをＯＦＦし、空気調和機の運転を強制停止し、水漏れを未然に防止する。
【００４７】
ＳＴ２１２では、フロートスイッチIIがＯＮになってからの時間ｔが所定値Ｔａ（Ｔａ＞Ｔｂ）以上であるか判定し、そうであればＳＴ２１３へ進み、フロートスイッチ異常を表示し、ＳＴ２１４でループ処理ＦＳＷ２から抜けてＳＴ１０８へ進み、ドレンポンプをＯＦＦし、空気調和機の運転を強制停止し、水漏れを未然に防止する。
【００４８】
ドレンポンプの吸い込み口もスライム等により閉塞されている場合、ドレンポンプがＯＮして動作し、排水処理を行おうとしても排水できず、フロートスイッチIIはＯＮしたままで動作解除することはない。このままでは、水受け皿から凝縮水が溢れて空気調和機から水漏れが起こってしまうので、フロートスイッチIIが所定期間Ｔａ動作しつづけた場合は空気調和機を本体停止し水位検出手段異常表示を行い、スライム等に対応するメンテナンス処理を行うよう促す。これにより、水漏れを起こすことなく、迅速に対処すべき箇所及び方法が分かるため、サービス性が向上する。
【００４９】
以上のように、本実施の形態においては水受け皿に貯留した凝縮水の水位を最下位水位検出手段が検出せず、それよりも上位の検出手段が水位を検出した場合、凝縮水位検出手段が異常であることを表示することにより、水漏れをおこすことなく安全に停止することはもとより、異常の内容を水位異常ではなく凝縮水位検出手段異常であることを表示することで更なるメンテナンス性の向上を図ることができる。
【００５０】
また、本実施の形態では、上位の検出手段が所定時間Ｔｂ（Ｔａ＞Ｔｂ）水位を検出しＴａ到達前に水位検出が解除された場合、凝縮水位検出手段が異常であることを表示せず記憶するのみとすることにより、凝縮水位検出手段の異常はあるが排水機能は正常であるためシステムとして停止する必要もなく継続運転可能とすることができる。また異常記憶を表示する操作を行うことでメンテナンス性の向上も同様に図ることができる。
【００５１】
また、本実施の形態では、上位の検出手段が所定時間Ｔｂ（Ｔａ＞Ｔｂ）水位を検出しＴａ到達前に水位検出が解除されることが所定期間Ｔ内にＮ回検出した場合、凝縮水位検出手段が異常であることを表示することにより、凝縮水位検出手段の異常はありかつ排水機能は正常に動作しているもののスライム等の微生物付着によりその排水能力に著しい低下がみられると判断できるため、異常表示をすることでより安全性も向上するとともにメ
ンテナンス性の向上を図ることができる。
【００５２】
また、本実施の形態では、最下位水位検出手段が水位を再検出した場合、凝縮水位検出手段異常記憶をクリアすることで誤動作を防止することができる。
【産業上の利用可能性】
【００５３】
以上のように、本発明にかかる空気調和機は、スライム等の発生に際しても安全かつ容易にメンテナンスが可能となるので、住宅やオフィスや店舗の空気調和機等の用途にも適用できる。
【図面の簡単な説明】
【００５４】
【図１】本発明の実施の形態１における空気調和機の主要構成図
【図２】本発明の実施の形態１における空気調和機の特定条件におけるタイムチャート
【図３】本発明の実施の形態１における空気調和機の特定条件におけるタイムチャート
【図４】本発明の実施の形態１における空気調和機の特定条件におけるタイムチャート
【図５】本発明の実施の形態１における空気調和機の特定条件におけるタイムチャート
【図６】本発明の実施の形態１における空気調和機のフローチャート
【図７】従来の空気調和機の主要構成図
【符号の説明】
【００５５】
１  ドレンポンプ
２  排水管
３  室内側熱交換器
４  水受け皿
５  第１のフロートスイッチ
６  電子制御装置
７  第２のフロートスイッチ
【図１】
2006300446.tif 000003
【図２】
2006300446.tif 000004
【図３】
2006300446.tif 000005
【図４】
2006300446.tif 000006
【図５】
2006300446.tif 000007
【図６】
2006300446.tif 000008
【図７】
2006300446.tif 000009